(57)【特許請求の範囲】
【請求項１】
第１ケースと第２ケースとを重ね合わせて固定することにより、これら両ケースの内部に遊技の制御を行う制御基板を収納可能な遊技機の基板ケースにおいて、
前記第１ケースおよび前記第２ケースの少なくとも一方に設けられ、識別情報が記憶されたＩＣタグ付きの封印シールを貼着するためのシール装着部と、
前記シール装着部を覆うシールカバーと、を備え、
前記シール装着部には、前記シールカバーを引き抜く方向に沿ってスリットまたは溝が形成され、
前記シールカバーは、前記シール装着部の一部を覆う第１シールカバーと前記シール装着部のうち前記第１シールカバーで覆われていない部分を覆う第２シールカバーとを有して成り、前記第１シールカバーと前記第２シールカバーとは溶着により一体化され、
前記シールカバーには、前記スリット内または前記溝内を移動可能なカッター小片が設けられ、
前記封印シールは、前記シール装着部に形成された前記スリットまたは前記溝を隠すようにして貼着され、
前記シールカバーを引き抜くと、前記カッター小片が前記封印シールを引き裂きながら前記スリット内または前記溝内を移動するよう構成される
ことを特徴とする遊技機の基板ケース。
【請求項２】
請求項１において、
前記シール装着部は、前記第１ケースに設けられる第１シール装着部と、前記第２ケースに設けられる第２シール装着部とを有し、
前記封印シールは、前記第１シール装着部と前記第２ケースとに跨って貼着され、
前記第１シールカバーは、前記第１シール装着部を覆い、
前記第２シールカバーは、前記第２シール装着部を覆う、
ことを特徴とする遊技機の基板ケース。
【請求項３】
請求項２において、
前記第１シール装着部と前記第２シール装着部の少なくとも一方には貫通孔が設けられ、
前記シールカバーは、前記貫通孔に挿入されるボスと、このボスを切り離すための切断部とを有する
ことを特徴とする遊技機の基板ケース。
【請求項４】
請求項３の記載において、
前記貫通孔は、前記第１シール装着部に設けられた第１貫通孔と、前記第２シール装着部に設けられた第２貫通孔とを有して成ると共に、前記第１シール装着部を前記第２シール装着部に重ね合わせた状態で、前記第１貫通孔と前記第２貫通孔とが連通し、
前記ボスは、前記第１シールカバーに設けられ、前記第１貫通孔に挿入される第１ボスと、前記第２シールカバーに設けられ、前記第２貫通孔に挿入される第２ボスとを有し、
前記切断部は、前記第１ボスを切り離すための第１切断部と、前記第２ボスを切り離すための第２切断部とを有し、
前記第１シールカバーと前記第２シールカバーとは、前記第１貫通孔に挿入された前記第１ボスの先端部と、前記第２貫通孔に挿入された前記第２ボスの先端部とを溶着することにより一体化される
ことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材を用いて封印されており、この封印部材の一部を破壊しない限り封印状態を解除できないようになっている。
【０００３】
また、近年では、識別情報が格納されたＩＣタグが付いたＩＣタグ封印シール（封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開封し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明は、第１ケースと第２ケースとを重ね合わせて固定することにより、これら両ケースの内部に遊技の制御を行う制御基板を収納可能な遊技機の基板ケースにおいて、前記第１ケースおよび前記第２ケースの少なくとも一方に設けられ、識別情報が記憶されたＩＣタグ付きの封印シールを貼着するためのシール装着部と、前記シール装着部を覆うシールカバーと、を備え、前記シール装着部には、前記シールカバーを引き抜く方向に沿ってスリットまたは溝が形成され、前記シールカバーは、前記シール装着部の一部を覆う第１シールカバーと前記シール装着部のうち前記第１シールカバーで覆われていない部分を覆う第２シールカバーとを有して成り、前記第１シールカバーと前記第２シールカバーとは溶着により一体化され、前記シールカバーには、前記スリット内または前記溝内を移動可能なカッター小片が設けられ、前記封印シールは、前記シール装着部に形成された前記スリットまたは前記溝を隠すようにして貼着され、前記シールカバーを引き抜くと、前記カッター小片が前記封印シールを引き裂きながら前記スリット内または前記溝内を移動するよう構成されることを特徴とする。ここで、前記シール装着部は、前記第１ケースに設けられる第１シール装着部と、前記第２ケースに設けられる第２シール装着部とを有し、前記封印シールは、前記第１シール装着部と前記第２ケースとに跨って貼着され、前記第１シールカバーは、前記第１シール装着部を覆い、前記第２シールカバーは、前記第２シール装着部を覆う構成とするのが好ましい。さらに、前記第１シール装着部と前記第２シール装着部の少なくとも一方には貫通孔が設けられ、前記シールカバーは、前記貫通孔に挿入されるボスと、このボスを切り離すための切断部とを有する構成とするのが好ましい。
【０００８】
本発明に係る基板ケースは、第１シール装着部を覆う第１シールカバーと、第２シール装着部を覆う第２シールカバーとを溶着して一体的に形成されたシールカバーを備えている。そして、このシールカバーにはボスが設けられており、このボスは、第１シール装着部と第２シール装着部の少なくとも一方に設けられた貫通孔に挿入される構成となっている。そのため、本発明では、いったん、第１シールカバーが第１シール装着部を、第２シールカバーが第２シール装着部をそれぞれ覆うようにして第１シールカバーと第２シールカバーを溶着すると、ボスが貫通孔に挿入されているので、その後にシールカバーを引き抜こうとしても、ボスが貫通孔に挿入されていることが障害となって、シールカバーを基板ケースから取り外すことができない。つまり、ボスが貫通孔に引っ掛かって、シールカバーを引き抜くことができない。
【０００９】
よって、本発明によれば、シールカバーを不正に取り外して、第１シール装着部と第２シール装着部とに跨って貼り付けられた封印シールを剥がすといった不正行為を未然に防ぐことができる。しかも、本発明のシールカバーは、第１シールカバーと第２シールカバーとが溶着により一体化された構成であるため、分解することは困難である。そのため、シールカバーを分解して封印シールを剥がすような不正行為をも未然に防ぐことができる。
【００１０】
また、例えば制御基板の検査を行うためには、封印シールを剥がして基板ケースを開封する必要がある。この場合において、本発明に係る基板ケースでは、切断部を切断してシールカバーからボスを切り離すと、ボスが貫通孔に引っ掛からなくなるから、シールカバーを基板ケースから取り外して封印シールを剥がすことができる。このとき、切断部を切断した痕跡が残るから、基板ケースが開封されたことを目視により確実に発見することができる。
【００１１】
また、上記構成において、前記封印シールは、前記スリットまたは前記溝を隠すようにして貼着され、前記切断部を切断して前記シールカバーを引き抜くと、前記カッター小片が前記封印シールを引き裂きながら前記スリット内または前記溝内を移動するような構成にすれば、シールカバーを引き抜く動作に伴って、カッター小片がスリット内または溝内を移動しながら封印シールを引き裂いてＩＣタグが破壊されるため、リーダー機でＩＣタグの情報を読み取れなくなる。よって、たとえ外観が綺麗な状態であったとしても、リーダー機を用いて、基板ケースが不正に開封されたことを確実に発見できる。また、封印シールが破れて、ＩＣタグが破壊されるため、封印シールの不正な使い回しを防止することができる。このように、本発明によれば、痕跡を残さずに封印シールを剥がして悪用するといった不正行為を確実に防ぐことができるのである。
【００１２】
また、上記構成において、前記貫通孔は、前記第１シール装着部に設けられた第１貫通孔と、前記第２シール装着部に設けられた第２貫通孔とを有し成ると共に、前記第１シール装着部を前記第２シール装着部に重ね合わせた状態で、前記第１貫通孔と前記第２貫通孔とが連通し、前記ボスは、前記第１シールカバーに設けられ、前記第１貫通孔に挿入される第１ボスと、前記第２シールカバーに設けられ、前記第２貫通孔に挿入される第２ボスとを有し、前記切断部は、前記第１ボスを切り離すための第１切断部と、前記第２ボスを切り離すための第２切断部とを有し、前記第１シールカバーと前記第２シールカバーとは、前記第１貫通孔に挿入された前記第１ボスの先端部と、前記第２貫通孔に挿入された前記第２ボスの先端部とを溶着することにより一体化される構成とするのが好ましい。
このようにシールカバーの内部に溶着部が設けられていると、外部から工具等で溶着部にアクセスして、第１シールカバーと第２シールカバーとを分離することは困難となるので、セキュリティー性が向上する。
【００１３】
また、上記構成において、前記第１シールカバーと前記第２シールカバーは同一形状から成ることが好ましい。部品の共通化が図れるため、部品点数の削減および製造コストの低減を実現することができるからである。
【図面の簡単な説明】
【００１４】
【図１】本発明の実施の形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施の形態例に係る基板ケースの外観斜視図である。
【図５】図４に示す基板ケースの正面図である。
【図６】図４に示す基板ケースの背面図である。
【図７】図４に示す上シールカバー（下シールカバー）の斜視図であって、（ａ）は表側から見た斜視図を、（ｂ）は裏側から見た斜視図をそれぞれ示したものである。
【図８】上・下シールカバーを上側・下側シール装着部にそれぞれ装着する前の状態を示す分解斜視図である。
【図９】シールカバーを上側・下側シール装着部から引き抜いた後の状態を示す分解斜視図である。
【発明を実施するための形態】
【００１５】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１６】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１７】
図３に示すように、このパチンコ機Ｐの背面側には、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１８】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１０３と、このメイン基板１０３を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００１９】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００２０】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２１】
次に、本発明の実施の形態例に係る基板ケース１００の詳細な構造について図４〜図９を参照しながら説明すると、基板ケース１００は、矩形箱状の透明な上ケース（第１ケース）１０１と、矩形箱状の透明な下ケース（第２ケース）１０２と、上シールカバー（第１シールカバー）１１０と、下シールカバー（第２シールカバー）１２０とを備えている。そして、上ケース１０１と下ケース１０２の内部に収納空間が形成されており、この収納空間にＣＰＵ、ＲＯＭ、ＲＡＭ等が実装された前述のメイン基板１０３が収納されている。
【００２２】
上ケース１０１と下ケース１０２はスライド嵌合によって重ね合わされるようになっており、上ケース１０１には上側シール装着部（第１シール装着部）１０５が形成され、下ケース１０２には下側シール装着部（第２シール装着部）１０６が形成されている。なお、上側シール装着部１０５および下側シール装着部１０６は、何れも本発明の「シール装着部」に相当する。図８に示すように、これら両シール装着部１０５，１０６を重ね合わせた後、封印シール１０８が両シール装着部１０５，１０６に跨がって貼り付けられるようになっている。この封印シール１０８は裏面に粘着層が形成された矩形状のベースシートを備えた公知のものであり、粘着層にはＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００２３】
上側シール装着部１０５は上ケース１０１の短辺部から外方へ突出するプレート状の構造体であり、その表面には、封印シール１０８の厚さと略同一の高さだけ一段低くした段差１０５ｃが形成されている。また、上側シール装着部１０５には、その中央から長手方向（図８における上下方向）に所定の間隔を空けて、２つの第１貫通孔１０５ａ，１０５ｂが設けられている。これら２つの第１貫通孔１０５ａ，１０５ｂは、後述する上シールカバー１１０に設けられた２つの第１ボス１１１ａ，１１２ａを挿入するためのものであって、第１ボス１１１ａ，１１２ａの直径より若干大きい直径で形成されている。
【００２４】
また、上側シール装着部１０５には、シールカバー本体１０９を引く抜く方向（基板ケース１００の長手方向における一方向であって、図９におけるＹ方向）に沿ってスリット１０７ａが設けられている。このスリット１０７ａの幅は、後述する上シールカバー１１０に設けられたカッター小片１１３の幅より若干大きい寸法で形成されており、カッター小片１１３がスリット１０７ａ内をスムーズに移動可能となっている。
【００２５】
下側シール装着部１０６は下ケース１０２の短辺部から外方へ突出するプレート状の構造体であり、上側シール装着部１０５と下側シール装着部１０６とを重ね合わせたときに、第１貫通孔１０５ａ，１０５ｂと合致する位置に、第１貫通孔１０５ａ，１０５ｂと同じ直径の第２貫通孔１０６ａ，１０６ｂ（図６参照）が設けられていると共に、スリット１０７ａと合致する位置にスリット１０７ａと同じ形状のスリット１０７ｂが設けられている。なお、図示しないが、下側シール装着部１０６の表面にも、上側シール装着部１０５の表面に設けられている段差１０５ｃと同様の段差が形成されている。
【００２６】
上シールカバー１１０は透明な樹脂成形品であり、上側シール装着部１０５を一度に覆うことが可能な大きさの矩形の箱型形状を成していると共に、上側シール装着部１０５を覆うために、その箱型形状の一部の面が切り欠かれて開放されている。具体的には、図７（ａ）および（ｂ）に示すように、上シールカバー１１０は、天面１１０ａの周囲を囲むように周壁１１０ｂが天面１１０ａの三辺から立設しており、天面１１０ａのうち周壁１１０ｂが設けられていない辺の近傍には、２つの第１ボス１１１ａ，１１２ａが内方に向けて設けられている。さらに、天面１１０ａには、第１ボス１１１ａと第１ボス１１２ａとの間の位置に、先端が鋭利な形状のカッター小片１１３が内方に向けて設けられている。
【００２７】
第１ボス１１１ａは、天面１１０ａと３本の切断部１１４ａ，１１４ｂ，１１４ｃによって連結されており、これら３本の切断部１１４ａ〜ｃを工具を用いて切断すると、第１ボス１１１ａは天面１１０ａから切り離されることができるようになっている。第２ボス１１２ａについても同様に３本の切断部１１５ａ，１１５ｂ，１１５ｃにより天面１１０ａと連結されている。また、２つの第１ボス１１１ａ，１１２ａのうち一方の第１ボス１１１ａの先端には凹部１１１ｂが設けられ、その凹部１１１ｂの周囲には、溶着部としての突条１１１ｃが円環状に形成されている。また、他方の第１ボス１１２ａの先端には突起１１２ｂが設けられている。なお、周壁１１０ｂのうち半分には、Ｌ字状の肉厚部１１０ｃが設けられ、残りの半分は、溶着部としての突条Ｌ１が設けられている。
【００２８】
また、下シールカバー１２０は透明な樹脂成形品であり、上シールカバー１１０と同じ形状を成している。即ち、下シールカバー１２０は、下側シール装着部１０６を一度に覆うことが可能な大きさの矩形の箱型形状を成していると共に、下側シール装着部１０６を覆うために、その箱型形状の一部の面が切り欠かれて開放されている。具体的には、図７（ａ）および（ｂ）に示すように、下シールカバー１２０は、天面１２０ａの周囲を囲むように周壁１２０ｂが天面１２０ａの三辺から立設しており、天面１２０ａのうち周壁１２０ｂが設けられていない辺の近傍には、２つの第２ボス１２１ａ，１２２ａが内方に向けて設けられている。さらに、天面１２０ａには、第２ボス１２１ａと第２ボス１２２ａとの間の位置に、先端が鋭利な形状のカッター小片１２３が内方に向けて設けられている。
【００２９】
第２ボス１２１ａは、天面１２０ａと３本の切断部１２４ａ，１２４ｂ，１２４ｃによって連結されており、これら３本の切断部１２４ａ〜ｃを工具を用いて切断すると、第２ボス１２１ａは天面１２０ａから切り離されることができるようになっている。第２ボス１２２ａについても同様に３本の切断部１２５ａ，１２５ｂ，１２５ｃにより天面１２０ａと連結されている。また、２つの第２ボス１２１ａ，１２２ａのうち一方の第２ボス１２１ａの先端には凹部１２１ｂが設けられ、その凹部１２１ｂの周囲には、溶着部としての突条１２１ｃが円環状に形成されている。また、他方の第２ボス１２２ａの先端には突起１２２ｂが設けられている。なお、周壁１２０ｂのうち半分には、Ｌ字状の肉厚部１２０ｃが設けられ、残りの半分は、溶着部としての突条Ｌ２が設けられている。
【００３０】
次に、このように構成された基板ケース１００にメイン基板１０３を収納して封印するまでの手順について、主に図８を参照しながら説明する。まず、メイン基板１０３を上ケース１０１の内部にネジ止め固定した後、上ケース１０１をＸ方向にスライドさせて、上ケース１０１と下ケース１０２とを重ね合わせ、上ケース１０１と下ケース１０２との締結部（図示せず）を適宜固定すると共に、ワンウェイネジ１３０ａ，１３０ｂの何れか１つを用いて基板ケース１００をかしめ固定する。次に、封印シール１０８を上側シール装着部１０５と下側シール装着部１０６とに跨るように全体的に貼り付ける。このとき、封印シール１０８のＩＣタグ１０８ａ（の特にＩＣチップ部分）がスリット１０７ａ，ｂ上に配置されるようにして貼り付ける。
【００３１】
そして、上シールカバー１１０の第１ボス１１１ａ，１１２ａを第１貫通孔１０５ａ，１０５ｂにそれぞれ挿入し、下シールカバー１２０の第２ボス１２１ａ，１２２ａを第２貫通孔１０６ａ，１０６ｂにそれぞれ挿入して、上シールカバー１１０の突起１１２ｂを下シールカバー１２０の凹部１２１ｂに差し込み、下シールカバー１２０の突起１２２ｂを凹部１１１ｂにそれぞれ差し込む。その後、上シールカバー１１０と下シールカバー１２０とに超音波振動を与えて、上シールカバー１１０と下シールカバー１２０とを溶着して一体化する。
【００３２】
より詳細に説明すると、上シールカバー１１０の第１ボス１１１ａと下シールカバー１２０の第２ボス１２２ａとが円環状の突条１１１ｃを介して溶着され、上シールカバー１１０の第１ボス１１２ａと下シールカバー１２０の第２ボス１２１ａとが円環状の突条１２１ｃを介して溶着され、上シールカバー１１０の肉厚部１１０ｃと下シールカバー１２０の肉厚部１２０ｃのない周壁部１２０ｂとがＬ字状の突条Ｌ２を介して溶着され、上シールカバー１１０の肉厚部のない周壁部１１０ｂと下シールカバー１２０の肉厚部１２０ｃとがＬ字状の突条Ｌ１を介して溶着されることにより、上シールカバー１１０と下シールカバー１２０とが強固に一体化される。
【００３３】
これにより、基板ケース１００の封印が完了する。この状態では、封印シール１０８は、上シールカバー１１０と下シールカバー１２０とにより全体的に覆われているため、封印シール１０８を剥がすことはできない。加えて、第１ボス１１１ａ，１１２ａの先端部と第２ボス１２１ａ，１２２ａの先端部とが溶着しており、溶着位置は、第１貫通孔１０５ａ，ｂおよび第２貫通孔１０６ａ，ｂの内部であるため、外部から第１ボス１１１ａ，１１２ａと第２ボス１２１ａ，１２２ａの溶着部を触ることは困難である。
【００３４】
よって、仮に上シールカバー１１０と下シールカバー１２０との間に溶着の不具合等により隙間が生じていたとしても、その隙間等から工具を挿入して上シールカバー１１０と下シールカバー１２０とを分解することは極めて困難であり、封印シール１０８が剥がされる心配は殆どないと言える。
【００３５】
なお、封印が完了した状態の基板ケース１００に対して、リーダー機をシールカバー本体１０９（上シールカバー１１０または下シールカバー１２０）に近付けることにより、封印シール１０８のＩＣタグ１０８ａに記憶されている識別情報をリーダー機で読取ることができる。
【００３６】
続いて、基板ケース１００の封印を解除する手順について、主に図９を参照しながら説明する。基板ケース１００の封印を解除するときは、まず、かして固定に使用されている方のワンウェイネジ１３０ａまたはｂの所定箇所を切断して、かしめ固定を解除する。次に、上シールカバー１１０の切断部１１４ａ〜ｃ，１１５ａ〜ｃをニッパー等で切断すると共に、下シールカバー１２０の切断部１２４ａ〜ｃ，１２５ａ〜ｃを同様に切断する。そして、一体化されたシールカバー本体１０９を、図９のＹ方向に引き抜く。このとき、カッター小片１１３，１２３はスリット１０７ａ，ｂ内を移動するので、封印シール１０８はカッター小片１１３，１２３によって引き裂かれてＩＣタグ１０８ａは破壊される（図９のＣ部分を参照）。その後、上ケース１０１を下ケース１０２からスライドさせると、上ケース１０１を下ケース１０２から取り外すことできる。そして、メイン基板１０３を固定しているネジを取り外せば、メイン基板１０３を検査することができるようになる。
【００３７】
以上、説明したように、本実施形態例に係る基板ケース１００では、封印シール１０８は、両シールカバー１１０，１２０によって全体的に覆われるため、封印シール１０８を剥がすことは困難となる。しかも、上シールカバー１１０と下シールカバー１２０とは溶着により強固に固定されているので、上シールカバー１１０を下シールカバー１２０から取り外すことは困難である。よって、本実施形態例によれば、封印シール１０８を剥がすような不正行為を防止することができる。
【００３８】
しかも、基板ケース１００の封印を解除するには、切断部１１４ａ〜ｃ，１１５ａ〜ｃ，１２４ａ〜ｃ，１２５ａ〜ｃを切断しなければならないため、これらの切断部が切断された痕跡を見れば、確実に、基板ケース１００の封印が解除されたことを発見することができる。また、基板ケース１００の封印を解除する際に、カッター小片１１３，１２３により封印シール１０８が破れてＩＣタグ１０８ａが破壊するため、リーダー機を近付けても、ＩＣタグ１０８ａに記憶されている識別情報を読取ることができなくなり、それによって不正行為がなされたことを確実に発見することができる。
【００３９】
つまり、不正に基板ケース１００を開封して、メイン基板１０３のＲＯＭ等を交換した場合には、必ず切断部１１４ａ〜ｃ等が切断された痕跡が残るうえ、封印シール１０８が破れてＩＣタグ１０８ａが破壊される。よって、本実施形態によれば、目視とリーダー機の両方により確実に基板ケース１００の封印が解除されたことを発見することができるのである。
【００４０】
また、本実施形態では、上シールカバー１１０と下シールカバー１２０とを同じ形状としているので、部品点数の削減および製造コストの低減に大きく寄与することとなる。
【００４１】
なお、上記した実施の形態例では、上側シール装着部１０５にスリット１０７ａを設け、かつ、下側シール装着部１０６にスリット１０７ｂを設ける構成としたが、スリット１０７ａ，ｂに代えて、有底の溝を設けるようにしても良い。また、上記した実施の形態例では、上側シール装着部１０５と下側シール装着部１０６の両方にスリットを設ける構成としたが、この構成に代えて、上側シール装着部１０５と下側シール装着部１０６の一方にのみスリットまたは溝を設けても良い。この場合、カッター小片は、スリットまたは溝を覆い隠す方のシールカバー１１０，１２０にのみ設ければ良い。
【００４２】
また、切断部１１４ａ〜ｃ，１１５ａ〜ｃ，１２４ａ〜ｃ，１２５ａ〜ｃの形状および本数はシールカバー１１０，１２０の形状等に応じて適宜決定することができることは言うまでもない。例えば、ニッパー等で切断する構成に代えて、他の構造のもの、例えばミシン目状や薄肉状の切断部により第１ボス１１１ａ，１１２ａ、第２ボス１２１ａ，１２２ａを支持するようにしても良い。
【００４３】
また、上記では、上側シール装着部１０５に２つの第１貫通孔１０５ａ，ｂを設け、下側シール装着部１０６に２つの第２貫通孔１０６ａ，ｂを設けた構成を例に挙げて説明したが、貫通孔の数は１つであっても、あるいは３つ以上であっても良い。また、貫通孔は上側シール装着部１０５と下側シール装着部１０６の一方だけに設けても良い。そして、貫通孔の数に合致するように、ボスと切断部を設ければ良い。
【００４４】
また、上記の実施の形態例では、上ケース１０１と下ケース１０２はスライド嵌合により重なり合う構成としたが、この構成に代えて、上ケース１０１と下ケース１０２を、ヒンジを介して開閉可能とする構成とすることもできる。
【００４５】
また、上記の実施の形態例では、メイン基板１０３を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【００４６】
また、上記した実施の形態例では、本発明の基板ケース１００をパチンコ機Ｐに取り付けた場合について説明したが、スロットマシン等の他の遊技機についても同様に適用可能であることは言うまでもない。
【符号の説明】
【００４７】
１００  基板ケース
１０１  上ケース（第１ケース）
１０２  下ケース（第２ケース）
１０３  メイン基板（制御基板）
１０５  上側シール装着部（第１シール装着部）
１０５ａ，ｂ  第１貫通孔
１０５ｃ  段差
１０６  下側シール装着部（第２シール装着部）
１０６ａ，ｂ  第２貫通孔
１０７ａ，ｂ  スリット
１０８  封印シール
１０８ａ  ＩＣタグ
１０９  シールカバー本体（シールカバー）
１１０  上シールカバー（第１シールカバー）
１１０ａ  平面部
１１０ｂ  周壁部
１１０ｃ  肉厚部
１１１ａ，１１２ａ  第１ボス
１１１ｂ  凹部
１１１ｃ  突条
１１２ｂ  突起部
１１３  カッター小片
１１４ａ〜ｃ，１１５ａ〜ｃ  第１切断部
１２０  下シールカバー（第２シールカバー）
１２０ａ  平面部
１２０ｂ  周壁部
１２０ｃ  肉厚部
１２１ａ，１２２ａ  第２ボス
１２１ｂ  凹部
１２１ｃ  突条
１２２ｂ  突起部
１２３  カッター小片
１２４ａ〜ｃ，１２５ａ〜ｃ  第２切断部
１３０ａ，ｂ  ワンウェイネジ
Ｌ１，Ｌ２  突条
Ｐ  パチンコ機（遊技機）
【図１】
0005660912.tif 000002
【図２】
0005660912.tif 000003
【図３】
0005660912.tif 000004
【図４】
0005660912.tif 000005
【図５】
0005660912.tif 000006
【図６】
0005660912.tif 000007
【図７】
0005660912.tif 000008
【図８】
0005660912.tif 000009
【図９】
0005660912.tif 000010